(57)【要約】【課題】機器に設けられるスタンド部を所定角度に固定するときの強度を高め、かつスタンド部の筐体に対する取り付け構造及びスタンド部の開閉操作を簡素化する。【解決手段】筐体１に対し回動可能に設けられたスタンド部５に膨らみ部１８ａが形成された突起部１８を設け、前記突起部１８を前記筐体１に設けられた突起部係止孔１５の内部分１５ａに挿入し、前記スタンド部５が所定の角度まで開かれたとき、前記突起部１８に設けられた前記膨らみ部１８ａを前記突起部係止孔１５の孔端部１５ｂに係止させることにより、筐体１を立てた状態に維持する。【選択図】図１１
2019100718.tif 000002
【特許請求の範囲】
【請求項１】
機器本体の筐体に対して回動可能かつ開閉可能に備えられるスタンド構造であって、
前記筐体に突起部係止孔を設け、前記スタンド部に、一部を膨出させた膨らみ部を設け、前記突起部を前記突起部係止孔の内部分に挿入して、前記スタンド部が所定の角度まで開かれるとき、前記膨らみ部を前記突起部係止孔の孔端部に係止することを特徴とするスタンド構造。
【請求項２】
前記スタンド部に係止凸部を設け、前記筐体に閉時係止凹部と開時係止凹部を設け、前記スタンド部が閉じられているときには前記係止凸部が前記閉時係止凹部に係合し、前記スタンド部が開かれているときには前記係止凸部が前記開時係止凹部に係合することを特徴とする請求項１記載のスタンド構造。
【請求項３】
前記突起部の側面にリブを設けたことを特徴とする請求項１または２記載のスタンド構造。
【請求項４】
前記リブを前記突起部の側面に２個以上設け、前記突起部の前記突起部係止孔の孔端部に係止される側の前記リブを、スタンド部が開かれたときに前記膨らみ部と前記突起部係止孔の孔端部が接触する部分を避けて設けることを特徴とする請求項３記載のスタンド構造。
【請求項５】
請求項１、２、３、または４記載のスタンド構造を備えたことを特徴とする体重計。
【発明の詳細な説明】
【技術分野】
【０００１】
本発明は、机などの平面部に対して水平に、あるいは立てた状態にして使用される機器に設けられるスタンド構造、そのスタンド構造を備えた体重計に関する。
【背景技術】
【０００２】
全体として略扁平な機器であって、使用時に机や床などに扁平な部位を略水平方向とするような機器、あるいは使用時に扁平な部位を立てた状態にする機器がある。たとえば、パソコン用キーボードや体重計などがこのような機器に該当する。
【０００３】
このような機器には筐体にスタンド部を設けられている構成のものがある。そのスタンド部は、スタンド部を立てた状態で、機器の扁平な方向が水平方向に対して斜めになるように載置できるようにするためである。これにより、省スペース化を図ることができる。
【０００４】
下記の特許文献１には、扁平な機器であるパソコン用キーボードにスタンド部を設けたものが記載されている。
【０００５】
また、視認する必要がある表示部又は操作部等の部分を有する機器を使用者が目線よりも低い位置に置く場合、使用者は機器を斜め上方より機器を見ることとなる。
【０００６】
このとき、視認する必要がある部分が斜め上方を向いていると、使用者は当該部分を視認しやすくなる。そこで、機器にスタンド部を設け、使用時に視認する必要がある部分が斜め上方を向くように載置できるようにしているものがある。
【０００７】
下記の特許文献２には、電話機に角度調整機構としてのスタンド部を設けたものが記載されている。
【先行技術文献】
【特許文献】
【０００８】
【特許文献１】特開２００５−１９６５９７号公報
【特許文献２】特開平１０−４４４７号公報
【発明の概要】
【発明が解決しようとする課題】
【０００９】
上記従来のスタンド部の構造では、スタンド部が所定の回動位置で固定されていなければ、スタンド部を利用して機器を起立させようとするとき、機器の重さによりスタンド部が筐体に対して動いてしまい、うまく起立させることはできない。
【００１０】
そこで特許文献１では、スタンド部に突起部を設け、スタンド部を所定の位置まで回動させると、突起部が筐体側にある孔に弾性係合する構造が記載されている。特許文献２では、スタンド部を回動させた後、スタンド部側にある突起部を筐体側にある溝に差し込むことでスタンド部を固定する構造について記載されている。
【００１１】
しかし、特許文献１のような固定構成であると、突起部と穴は弾性係合しているのみであり、使用者の操作によって容易に外れる程度の強度である。したがって、機器が一定以上の重さを有している場合などには、この構成のみでスタンド部を固定させることはできない。また、特許文献２のような固定構成であると、スタンド部の操作が回動だけではなくなるため、スタンド部を開閉する手間が増大し、またスタンド部の筐体への設けられ方が複雑となる。
【００１２】
本願に係る発明は、このような事情に鑑みてなされたものであって、スタンド部を固定する強度を高めつつ、スタンド部を開閉する際の手間を減らし、スタンド部の筐体への取り付け構造を簡素化することを目的とする。
【課題を解決するための手段】
【００１３】
請求項１記載のスタンド構造は、機器本体の筐体に対して回動可能かつ開閉可能に備えられるスタンド構造であって、前記筐体に突起部係止孔を設け、前記スタンド部に、一部を膨出させた膨らみ部を設け、前記突起部を前記突起部係止孔の内部分に挿入して、前記スタンド部が所定の角度まで開かれるとき、前記膨らみ部を前記突起部係止孔の孔端部に係止することを特徴とする。
【００１４】
請求項２記載のスタンド構造は、前記スタンド部に係止凸部を設け、前記筐体に閉時係止凹部と開時係止凹部を設け、前記スタンド部が閉じられているときには前記係止凸部が前記閉時係止凹部に係合し、前記スタンド部が開かれているときには前記係止凸部が前記開時係止凹部に係合することを特徴とする。
【００１５】
請求項３記載のスタンド構造は、前記突起部の側面にリブを設けたことを特徴とする。
【００１６】
請求項４記載のスタンド構造は、前記リブを前記突起部の側面に２個以上設け、前記突起部の前記突起部係止孔の孔端部に係止される側の前記リブを、スタンド部が開かれたときに前記膨らみ部と前記突起部係止孔の孔端部が接触する部分を避けて設けることを特徴とする。
【００１７】
請求項５記載の体重計は、請求項１、２、３、または４記載のスタンド構造を備えたことを特徴とする。
【発明の効果】
【００１８】
本願に係る発明は、スタンド部を固定するための強度を高めつつ、スタンド部を開閉する際の手間を減らし、スタンド部の筐体への取り付け構造を簡素化する。
【図面の簡単な説明】
【００１９】
【図１】本発明の実施形態である体重計におけるスタンド部を閉じた状態の正面図
【図２】本実施形態のスタンド部を閉じた状態の背面図
【図３】本実施形態のスタンド部を閉じた状態の底面図
【図４】本実施形態のスタンド部を開いた状態の背面図
【図５】本実施形態のスタンド部を開いた状態の斜視図
【図６】本実施形態のスタンド部を外した状態の斜視図
【図７】本実施形態のスタンド部の裏面部分を示す斜視図
【図８】本実施形態のスタンド部を外した状態の背面図の突起部係止孔周辺部分拡大図
【図９】本実施形態のスタンド部の突起部周辺部分拡大図
【図１０】本実施形態のスタンド部を閉じた状態における突起部設置部分の拡大断面図
【図１１】本実施形態のスタンド部を開いた状態における突起部設置部分の拡大断面図
【発明を実施するための形態】
【００２０】
以下、本発明の実施形態として体重計について説明する。
【００２１】
図１は本実施形態の体重計の正面図であり、１は体重計本体の筐体、２は計測値などを表示するための表示部、３は体組成を測定するための公知の電極板、４は各種設定用の操作ボタンである。
【００２２】
図２は本実施形態においてスタンド部５を閉じた状態の背面図であり、５がスタンド部（後で詳述する）であって、全体として長方形状の略板状をなし、６は筐体１の足、７は筐体１を使用者が把持する際の滑りを防止するための滑り止め凸部である。
【００２３】
図３は本実施形態においてスタンド部５を閉じた状態の底面図であり、筐体１の収納凹部８にスタンド部５が収納されている状態ではスタンド部５と筐体１の背面側が略面一となっており、１１は使用者がスタンド部５を開くときに指を引っ掛けるための指引っ掛け部である。
【００２４】
図４は、本実施形態においてスタンド部５を収納凹部８から外方に回動させて開いた状態の背面図であり、同じくスタンド部５を開いた状態を図５の斜視図に示しており、図５において、Ｒは転軸線を示している。
【００２５】
図６は本実施形態のスタンド部５の裏面を示す斜視図であり、１０は閉時係止突起、１６は回動軸凸部、１７は係止凸部、１８は突起部であって、各部がスタンド部５と一体に形成されている。
【００２６】
図７は本実施形態において筐体１の収納凹部８からスタンド部５を取り外した状態の斜視図であり、９はスタンド部５の閉時係止突起１０と係脱する閉時係止孔、１２はスタンド部５の回動軸凸部１６が挿嵌される回動軸孔、１３は閉時にスタンド部５の係止凸部１７を係止する閉時係止凹部、１４は開時にスタンド部５の係止凸部１７を係止する開時係止凹部、１５はスタンド部５の突起部１８が後述するように係脱する突起部係止孔である。
【００２７】
図８は本実施形態においてスタンド部５を外した状態の背面図の突起部係止孔１５周辺部分拡大図であり、１５ａは突起部係止孔１５の内部分、１５ｂは突起部係止孔１５の孔端部である。
【００２８】
図９は本実施形態のスタンド部５における突起部１８の周辺拡大図であり、突起部１８には、上端部が拡径部となって膨らみ部１８ａが形成され、側壁に突出量が大きな大リブ１８ｂと、突出量が小さな小リブ１８ｃとが一体に形成されている。
【００２９】
次に、本実施形態の各部の関連構成とスタンド部５の動作について説明する。
【００３０】
まず、スタンド部５が閉じられている状態では、スタンド部５の回動軸凸部１６が筐体１の収納凹部８の回動軸孔１２に嵌合し、スタンド部５の係止凸部１７が収納凹部８の閉時係止凹部１３に係合し、かつスタンド部５の閉時係止突起１０が収納凹部８の閉時係止孔９に係合する。
【００３１】
また、図１０は本実施形態のスタンド部５を閉じた状態における突起部１８部分の拡大断面図であって、図２のＡ−Ａ断面に対応しており、筐体１の収納凹部８の突起部係止孔１５の内部分１５ａにスタンド部５の突起部１８が差し込まれているが、図示するように突起部１８は突起部係止孔１５の孔端部１５ｂに接触していない。
【００３２】
次に、使用者がスタンド部５を開くときには、使用者は図６に示す指引っ掛け部１１に指を引っ掛け、スタンド部５を筐体１の外側方向へ回動させると、スタンド部５は筐体１に対して転軸線Ｒを中心に回動し（回転動作ＲＭ）、スタンド部５の係止凸部１７が筐体１の収納凹部８の閉時係止凹部１３から外れて開時係止凹部１４に係合し、閉時係止突起１０が閉時係止孔９から外れる。
【００３３】
さらに、上記回動に伴い突起部１８が突起部係止孔１５の内部分１５ａから孔端部１５ｂの方へと移動し、図１１に示すように膨らみ部１８ａが転軸線Ｒから遠い側の孔端部１５ｂに係止される。
【００３４】
図１１は本実施形態においてスタンド部５を開いた状態における拡大断面図であって、図４のＢ−Ｂ断面に対応する。スタンド部５を開いた状態における突起部１８と孔端部１５ｂの状態を示している。このようにスタンド部５を開いた状態では、スタンド部５を利用して体重計を立てておくことができる。
【００３５】
突起部１８の突起部係止孔１５の孔端部１５ｂへの係止は、スタンド部５がより開く方向への係止のみであり、閉じる方向へは係止されていない。そのため、係止の強度を高めても、使用者のスタンド部５の開閉操作に支障が生じない。
【００３６】
また、突起部１８には、本例では４つのリブ１８ｂ、１８ｃを等間隔に設けている。これにより、突起部１８の強度が向上する。
【００３７】
加えて、転軸線Ｒから遠い側にある小リブ１８ｃは他の大リブ１８ｂと比べて半分程度の高さとなっており、大リブ１８ｂの突出量は膨らみ部１８ａの突出量より小さく、小リブ１８ｃの突出量は大リブ１８ｂより更に小さくなっている。
【００３８】
これは、膨らみ部１８ａの突出量よりも大リブ１８ｂや小リブ１８ｃの突出量が大きくなってしまうと、膨らみ部１８ａが孔端部１５ｂに係合することを大リブ１８ｂや小リブ１８ｃが邪魔してしまうからである。特に小リブ１８ｃについては、膨らみ部１８ａと孔端部１５ｂが接触する部分の近傍に設けられており、その突出量が大きすぎると、膨らみ部１８ａが孔端部１５ｂに係合されなくなってしまう。
【００３９】
本実施例の体重計を、スタンド部５を利用して起立状態で載置することにより、非使用時の省スペース化を図ることができる。
【００４０】
体重計を使用者が手に持つとき、滑り止め凸部７が設けられている部分を持つことによって、使用者は確実に体重計を把持できる。
【産業上の利用可能性】
【００４１】
本発明は水平置きしたり起立したりすると操作性等の良い機器、たとえば、小型体重計をはじめとする家庭電化製品に利用して有用である。
【符号の説明】
【００４２】
１      筐体
２      表示部
３      電極板
４      操作ボタン
５      スタンド部
６      足
７      滑り止め凸部
８      収納凹部
９      閉時係止孔
１０    閉時係止突起
１１    指引っ掛け部
１２    回動軸孔
１３    閉時係止凹部
１４    開時係止凹部
１５    突起部係止孔
１５ａ  突起部係止孔の内部分
１５ｂ  突起部係止孔の孔端部
１６    回動軸凸部
１７    係止凸部
１８    突起部
１８ａ  膨らみ部
１８ｂ  大リブ
１８ｃ  小リブ
Ｒ      転軸線
ＲＭ    回転動作
【図１】
2019100718.tif 000003
【図２】
2019100718.tif 000004
【図３】
2019100718.tif 000005
【図４】
2019100718.tif 000006
【図５】
2019100718.tif 000007
【図６】
2019100718.tif 000008
【図７】
2019100718.tif 000009
【図８】
2019100718.tif 000010
【図９】
2019100718.tif 000011
【図１０】
2019100718.tif 000012
【図１１】
2019100718.tif 000013
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
機器本体の筐体に対して回動可能かつ開閉可能なスタンド部を備えたスタンド構造であって、
前記筐体に突起部係止孔を設け、前記スタンド部に、前記筐体に向かって突出し、一部を膨出させた膨らみ部を有する突起部を設け、前記スタンド部が閉じているとき、前記突起部を前記突起部係止孔に、この突起部係止孔を貫通して前記膨らみ部が前記筐体内側に入り込むように挿入して、前記スタンド部を所定の角度まで開いたとき、前記膨らみ部が前記突起部係止孔の前記筐体内側に係止することを特徴とするスタンド構造。
【請求項２】
前記スタンド部に係止凸部を設け、前記筐体に閉時係止凹部と開時係止凹部を設け、前記スタンド部の回動動作のみによって、前記スタンド部が閉じているときに前記係止凸部が前記閉時係止凹部に係合し、前記スタンド部が前記所定の角度まで開いているときに前記係止凸部が前記開時係止凹部に係合することを特徴とする請求項１記載のスタンド構造。
【請求項３】
前記突起部の側面にリブを設けたことを特徴とする請求項１または２記載のスタンド構造。
【請求項４】
前記リブを、前記スタンド部が前記所定の角度まで開いたときに前記膨らみ部と前記突起部係止孔の前記筐体内側が接触する部分を避けて設けることを特徴とする請求項３記載のスタンド構造。
【請求項５】
請求項１、２、３、または４記載のスタンド構造を備えたことを特徴とする体重計。 
【手続補正２】
【補正対象書類名】明細書
【補正対象項目名】００１３
【補正方法】変更
【補正の内容】
【００１３】
請求項１記載のスタンド構造は、機器本体の筐体に対して回動可能かつ開閉可能なスタンド部を備えたスタンド構造であって、前記筐体に突起部係止孔を設け、前記スタンド部に、前記筐体に向かって突出し、一部を膨出させた膨らみ部を有する突起部を設け、前記スタンド部が閉じているとき、前記突起部を前記突起部係止孔に、この突起部係止孔を貫通して前記膨らみ部が前記筐体内側に入り込むように挿入して、前記スタンド部を所定の角度まで開いたとき、前記膨らみ部が前記突起部係止孔の前記筐体内側に係止することを特徴とする。
【手続補正３】
【補正対象書類名】明細書
【補正対象項目名】００１４
【補正方法】変更
【補正の内容】
【００１４】
請求項２記載のスタンド構造は、前記スタンド部に係止凸部を設け、前記筐体に閉時係止凹部と開時係止凹部を設け、前記スタンド部の回動動作のみによって、前記スタンド部が閉じているときに前記係止凸部が前記閉時係止凹部に係合し、前記スタンド部が前記所定の角度まで開いているときに前記係止凸部が前記開時係止凹部に係合することを特徴とする。
【手続補正４】
【補正対象書類名】明細書
【補正対象項目名】００１６
【補正方法】変更
【補正の内容】
【００１６】
請求項４記載のスタンド構造は、前記リブを、前記スタンド部が前記所定の角度まで開いたときに前記膨らみ部と前記突起部係止孔の前記筐体内側が接触する部分を避けて設けることを特徴とする。